(57)【要約】【課題】照明負荷を分割して調光制御する場合に、パッチ情報の書き換えを行うことにより、パッチ情報を増やすことなく、パッチ情報の変更作業を簡単に行うこと。【解決手段】本発明の照明システム１は、複数の照明負荷Ｓと、複数のフェーダ操作部Ｆを有する複数の操作端末器Ｃと、複数の照明負荷Ｓのそれぞれと複数の操作端末器Ｃの各フェーダ操作部Ｆとの対応関係を示すパッチ情報を記憶したＲＡＭ１１を有し、操作端末器Ｃの複数のフェーダ操作部Ｆの操作内容及びパッチ情報に基づき照明負荷Ｓを調光制御するものであって、ＲＡＭ１１は、複数の照明負荷Ｓを分割して調光を行うための、前記パッチ情報の書き換えが可能である調光制御装置２とを具備している。【選択図】図２
2011233481.tif 000002
【特許請求の範囲】
【請求項１】
複数の照明負荷と；
複数の照明負荷の内、調光すべき照明負荷を任意の明るさの調光状態に操作するための複数の操作部を有する複数の操作端末器と；
複数の照明負荷のそれぞれと複数の操作端末器の各操作部との対応関係を示すパッチ情報を記憶したメモリを有し、複数の照明負荷と複数の操作端末器とが対応付けられ、操作端末器の複数の操作部の操作内容及び前記パッチ情報に基づき照明負荷を調光制御するものであって、前記メモリは、複数の照明負荷を分割して調光を行うための前記パッチ情報の書き換えが可能であり、この複数の照明負荷を分割して調光を行うための前記パッチ情報の書き換えと複数の照明負荷を一括して調光を行うためのパッチ情報の書き換えとは、切替え手段によって切り替える調光制御装置と；
を具備したことを特徴とする照明システム。
【請求項２】
前記メモリの前記パッチ情報を書き換えるのに必要な情報は、複数の部屋と、これら複数の部屋のそれぞれに対応する１又は２以上の前記照明負荷と、前記１又は２以上の照明負荷のそれぞれと前記複数のフェーダ操作部のそれぞれとの対応関係を示す情報であることを特徴とする請求項１に記載の照明システム。
【請求項３】
複数の照明負荷と、複数の照明負荷の内、調光すべき照明負荷を任意の明るさの調光状態に操作するための複数の操作部を有する複数の操作端末器とが接続可能である調光制御装置であって、
複数の照明負荷のそれぞれと複数の操作端末器の各操作部との対応関係を示すパッチ情報を記憶したメモリと、
複数の照明負荷と複数の操作端末器とが対応付けられ、複数の操作端末器の複数の操作部のそれぞれの操作内容に基づき、前記パッチ情報に基づく照明負荷を調光制御する制御部を有し、
前記メモリは、前記複数の照明負荷を分割して調光を行うための、前記パッチ情報の書き換えが可能であり、前記制御部は、複数の照明負荷を分割して調光を行うための前記パッチ情報の書き換えと複数の照明負荷を一括して調光を行うためのパッチ情報の書き換えとを切替え手段による操作に基づき切替え制御することを特徴とする調光制御装置。
【発明の詳細な説明】
【技術分野】
【０００１】
本発明は、会議室やホール等に用いられる照明システム及びこの照明システムに用いる調光制御装置に関する。
【背景技術】
【０００２】
従来より、会議室やホール等の屋内施設には、照明システムが設置されている。  
この種の照明システムは、屋内施設に配置した複数の照明負荷と、これら複数の照明負荷の内、調光すべき照明負荷を任意の明るさの調光状態に操作するための複数のフェーダ操作部を有する複数の操作端末器と、これら複数の操作端末の複数のフェーダ操作部による操作に基づき、対応する照明負荷の調光を制御する調光制御装置とを有して構成される。
【０００３】
このような従来の照明システムの調光制御装置としては、例えば、特許文献１に記載されているように、プリセットフェーダを有する操作部を用いて、照明負荷を制御するための単位であるチャネルに対してシーンを割り当て、この割り当てた情報をシーン再生レベルデータとして記憶部に格納するようにした調光装置がある。
【先行技術文献】
【特許文献】
【０００４】
【特許文献１】特開平６−１３２０８４号公報
【発明の概要】
【発明が解決しようとする課題】
【０００５】
従来の照明システムは、会議室やホール等の屋内施設を有効活用するために、複数の照明負荷を一括で調光制御する他に、複数の照明負荷を所定数の数でグループ分けするなど分割して調光制御する場合がある。
【０００６】
複数の照明負荷を一括して調光制御する場合、複数の操作端末器において、割り当てられた照明負荷の調光制御を行うための設定内容が全て同一である。この設定内容には、複数の照明負荷のそれぞれと複数の操作端末器の各フェーダ操作部との対応関係を示すパッチ情報がある。このパッチ情報は、各操作端末器のフェーダ操作部と照明負荷とが全て一対一に対応するように割り付けられている。
【０００７】
しかしながら、従来の照明システムは、複数の照明負荷を所定数の数でグループ分けするなど分割して調光制御する場合には、上述したように、各操作端末器のフェーダ操作部と各照明負荷とが全て一対一に対応するように割り付けられて固定したものであるため、グループ分けした操作端末毎に新たにフェーダ操作部とこれに対応する照明負荷とを割り付けたりするなど、パッチ情報を変更しなければならない。このため、従来の照明システムは、照明負荷の分割に伴うパッチ情報の変更作業が繁雑であり、また、パッチ情報が増えてしまったりするなどの問題点があった。
【０００８】
特許文献１に記載の調光装置は、単に照明負荷を制御するための単位であるチャネルに対してシーンを割り当て、この割り当てた情報をシーン再生レベルデータとして記憶部に格納するようにしたものであって、前記問題点を解決することはできない。
【０００９】
そこで、本発明は前記問題点に鑑みてなされたもので、照明負荷を分割して調光制御する場合に、パッチ情報の書き換えを行うことにより、パッチ情報を増やすことなく、パッチ情報の変更作業を簡単に行うことができる照明システム及びこれに用いる調光制御装置を提供することを目的とする。
【課題を解決するための手段】
【００１０】
本発明の請求項１に係る照明システムは、複数の照明負荷と；  複数の照明負荷の内、調光すべき照明負荷を任意の明るさの調光状態に操作するための複数の操作部を有する複数の操作端末器と；複数の照明負荷のそれぞれと複数の操作端末器の各操作部との対応関係を示すパッチ情報を記憶したメモリを有し、複数の照明負荷と複数の操作端末器とが対応付けられ、操作端末器の複数の操作部の操作内容及び前記パッチ情報に基づき照明負荷を調光制御するものであって、前記メモリは、前記複数の照明負荷を分割して調光をために、前記パッチ情報の書き換えが可能であり、この複数の照明負荷を分割して調光を行うための前記パッチ情報の書き換えと複数の照明負荷を一括して調光を行うためのパッチ情報の書き換えとは、切替え手段によって切り替える調光制御装置と；を具備している。
【００１１】
本発明及び以下の請求項の各発明において、特に限定しない限り、用語の定義及び技術的意味は次による。  
操作端末器は、例えば、コントローラであって、前記複数の操作部がスライド型のフェーダスイッチ、あるいはタッチパネル式のフェーダスイッチで構成したものであるが、これに限定されるものではなく、フェーダスイッチ以外の操作部であってもよい。また、操作端末器は、制御信号を有線で伝送する有線伝送式のコントローラで構成するが、例えば、制御信号を無線で伝送する無線伝送式のコントーラで構成してもよい。
【００１２】
メモリは、例えば、ＲＡＭであるが、これに限定されるものではなく、電源を切っても記憶内容が消えないメモリであってもよい。
【００１３】
切替え手段は、例えば、切替スイッチであるがこれに限定されるものではない。調光制御装置は、この切替スイッチの操作による操作信号に基づき、複数の照明負荷を分割して調光を行うためのパッチ情報の書き換えと複数の照明負荷を一括して調光を行うためのパッチ情報の書き換えとを切り替えるように制御する。
【００１４】
本発明の請求項２に係る照明システムは、請求項１に記載の照明システムにおいて、前記メモリの前記パッチ情報を書き換えるのに必要な情報は、複数の部屋と、これら複数の部屋のそれぞれに対応する１又は２以上の前記照明負荷と、前記１又は２以上の照明負荷のそれぞれと前記複数のフェーダ操作部のそれぞれとの対応関係を示す情報であることを特徴とする。
【００１５】
複数の部屋とは、例えば、会議室やホール等の屋内施設をパーティション部材で仕切られた複数の部屋を意味するが、これに限定されるものではない。例えば、あたかも仮想のパーティション部材で仕切られた仮想空間の部屋として構成してもよい。
【００１６】
本発明の請求項３に係る調光制御装置は、複数の照明負荷と、複数の照明負荷の内、調光すべき照明負荷を任意の明るさの調光状態に操作するための複数の操作部を有する複数の操作端末器とが接続可能である調光制御装置であって、複数の照明負荷のそれぞれと複数の操作端末器の各操作部との対応関係を示すパッチ情報を記憶したメモリと、  複数の照明負荷と複数の操作端末器とが対応付けられ、複数の操作端末器の複数の操作部のそれぞれの操作内容に基づき、前記パッチ情報に基づく照明負荷を調光制御する制御部を有し、前記メモリは、前記複数の照明負荷を分割して調光を行うための、前記パッチ情報の書き換えが可能であり、前記制御部は、複数の照明負荷を分割して調光を行うための前記パッチ情報の書き換えと複数の照明負荷を一括して調光を行うためのパッチ情報の書き換えとを切替え手段による操作に基づき切替え制御することを特徴とする。
【発明の効果】
【００１７】
請求項１の本発明に係る照明システムによれば、照明負荷を分割して調光制御する場合に、パッチ情報の書き換えを行うことにより、パッチ情報を増やすことなく、パッチ情報の変更作業を簡単に行うことができる。
【００１８】
請求項２の本発明によれば、請求項１と同様の効果が得られる他に、照明負荷を部屋毎に分割した分割モードに基づくパッチ情報の変更作業を簡単に行うことができる。
【００１９】
請求項３の本発明によれば、請求項１と同様の効果が得られる。
【図面の簡単な説明】
【００２０】
【図１】本発明の実施の形態に係る照明システムの構成を示す構成図。
【図２】図１の調光制御装置の構成を示すブロック図。
【図３】図２のＲＡＭ内のパッチ情報の記憶領域を示す説明図。
【図４】図１の複数照明負荷を部屋毎に分割した場合の構成を示す構成図。
【図５】図２の複数の部屋を、パーティション部材を用いて分割した場合の構成を示す構成図。
【図６】図１の照明システムにおいて、複数の照明負荷を一括で制御する場合のパッチ情報の構成を示す図。
【図７】図４の照明システムにおいて、書き換えるのに必要な、部屋Ｎｏと照明負荷Ｎｏと操作端末器Ｎｏとの対応関係のパッチ情報の構成を示す図。
【図８】図４の照明システムにおいて、書き換えるのに必要な、フェーダＮｏと照明負荷Ｎｏと操作端末器Ｎｏとの対応関係のパッチ情報の構成を示す図。
【図９】図４の照明システムにおいて、書き換えるのに必要な、フェーダＮｏと照明負荷Ｎｏと操作端末器Ｎｏとの対応関係のパッチ情報の構成を示す図。
【図１０】図５の照明システムにおいて、書き換えるのに必要な、パーティションＮｏと部屋Ｎｏと照明負荷Ｎｏと操作端末器Ｎｏとの対応関係のパッチ情報の構成を示す図。
【図１１】本実施の形態の調光制御装置の分割モード設定時に伴う処理手順を示すフローチャート。
【図１２】本実施の形態の調光制御装置のＣＰＵにおける制御内容の一例を示すフローチャート。
【発明を実施するための最良の形態】
【００２１】
以下、図面を参照して本発明の実施の形態について詳細に説明する。
【００２２】
図１（ａ）は本発明の実施の形態に係る照明システムの構成を示す模式的な構成図であり、図１（ｂ）は、操作端末器の構成を示す構成図であり、図２は図１の照明システムに用いられる調光制御装置の構成を示すブロック図である。
【００２３】
図１（ａ）に示す照明システム１は、会議室やホール等の屋内施設３に設置されるもので、複数の照明負荷Ｓ１〜Ｓ１０と、複数の操作端末器（コントローラともいう）Ｃ１〜Ｃ５と、調光制御装置２とを有して構成される。  
なお、本実施の形態では、１０個の照明負荷Ｓ１〜Ｓ１０、５個の操作端末器Ｃ１〜Ｃ５を備えて照明システム１を構成した場合ついて説明するが、これらの数に限定されるものではない。
【００２４】
複数の照明負荷Ｓ１〜Ｓ１０は、制御信号線４ａにより、調光制御盤である調光制御装置２に接続される。また、複数の操作端末器Ｃ１〜Ｃ５は、制御信号線４ｂにより、調光制御装置２に接続される。なお、制御信号線４ａ及び４ｂは、図においては１本で示してあるが、複数の信号線から構成される。
【００２５】
各操作端末器Ｃは、図１（ｂ）に示すように、複数の照明負荷Ｓ１〜Ｓ１０の内、対応する照明負荷を任意の明るさの調光状態に操作するための操作部を構成する複数のフェーダ操作部Ｆ１〜Ｆ８を有している。これら複数のフェーダ操作部Ｆ１〜Ｆ８は、フェーダスイッチとして構成される。  
なお、フェーダスイッチであるこれら複数のフェーダ操作部Ｆ１〜Ｆ８は、図１（ｂ）に示すように８個に限定されるものではなく、必要に応じてそれ以上設けてもよい。
【００２６】
また、複数のフェーダ操作部Ｆ１〜Ｆ８は、スライド型のフェーダスイッチを用いて構成しても、あるいは、タッチパネル式のフェーダスイッチを用いて構成してもよい。
【００２７】
また、複数のフェーダ操作部Ｆ１〜Ｆ８は、フェーダスイッチに限定されるものではなく、フェーダスイッチ以外の操作スイッチで構成してもよい。
【００２８】
さらに、複数の操作端末器Ｃ１〜Ｃ５は、制御信号を有線で伝送する有線伝送式のコントローラで構成したが、例えば、制御信号を無線で伝送する無線伝送式のコントーラで構成してもよい。
【００２９】
次に、照明システム１に用いられる調光制御装置２の構成について図２を用いて説明する。
【００３０】
図２に示すように、本実施の形態の調光制御装置２は、切替スイッチ２ａと、接続部２ｂと、バス５に接続される、４つのインターフェース部（以下、Ｉ／Ｆと略す）６〜９、ＲＯＭ１０、ＲＡＭ１１、及びＣＰＵ１２とを有して構成される。
【００３１】
切替スイッチ２ａは、複数の照明負荷Ｓ１〜Ｓ１０を一括で調光制御する一括モードと、複数の照明負荷Ｓ１〜Ｓ１０を所定数の数でグループ分けするなど分割して調光制御する分割モードとのいずれかを指示するためのスイッチである。
【００３２】
この切替スイッチ２ａは、例えば、トグルスイッチやそれ以外のスイッチで構成し、押下操作により、一括モード又は分割モードの操作信号をＩ／Ｆ８に出力する。このＩ／Ｆ８は、入力された操作信号を指示信号に変換してバス５を介してＣＰＵ１２に出力する。
【００３３】
接続部２ｂは、例えば、外部装置であるパーソナルコンピュータ（以下、ＰＣと略す）１３等が接続される接続ケーブルコネクタである。この接続部２ｂを介して供給された情報は、Ｉ／Ｆ９によって変換された後、バス５に出力される。
【００３４】
複数の照明負荷Ｓ１〜Ｓ１０に接続される制御信号線４ａは、Ｉ／Ｆ７に接続される。このＩ／Ｆ７は、ＣＰＵ１２からの制御信号を、照明負荷Ｓに出力する。なお、調光器等の照明制御手段は、照明負荷Ｓ側又は調光制御装置２あるいはこれら以外の場所に設けることができ、設置場所等に応じて、調光制御装置２及び各照明負荷Ｓの間の配線及び信号の形態を設定することができる。
【００３５】
複数の操作端末器Ｃ１〜Ｃ５に接続される制御信号線４ｂは、Ｉ／Ｆ６に接続される。このＩ／Ｆ６は、複数の端末器Ｃ１〜Ｃ５から供給される制御信号を、バス５を介してＣＰＵ１２に出力する。
【００３６】
ＲＯＭ１０は、制御手段であるＣＰＵ１２が操作端末器Ｃ及び切替スイッチ２ａの操作に基づき照明負荷Ｓを調光制御するのに必要なプログラム等を格納している。ＣＰＵ１２は、ＲＯＭ１０に格納された所定のプログラムを実行することで、照明システム１全体の調光制御を行ったり、後述するが照明負荷Ｓの分割モード実行時に必要なＲＡＭ１１内のパッチ情報の書き換え制御等を行う。
【００３７】
また、ＣＰＵ１２は、複数のフェーダ操作部Ｆ１〜Ｆ８のそれぞれの操作入力に基づき、前記パッチ情報に基づく照明負荷Ｓを調光制御する。
【００３８】
なお、ＲＡＭ１１は、後述するように、パッチ情報を記憶するが、その記憶エリアはフラッシュメモリとして構成してもよい。
【００３９】
このＲＡＭ１１は、例えば、図３に示すように、少なくとも一括モード領域２０と、分割モード領域３０との各記憶エリアを有している。この一括モード領域２０の記憶エリアには、一括モードに対応した、複数の照明負荷Ｓ１〜Ｓ１０と複数の操作端末器Ｃ１〜Ｃ５のフェーダ操作部Ｆ１〜Ｆ８との対応関係を示すパッチ情報（一括パッチ情報ともいう）が記憶されている。
【００４０】
このような一括モード時に対応した一括パッチ情報の一例を図６に示す。  
図１に示す照明システム１において、複数の照明負荷ＳのそれぞれのＩＤＮｏをＳ１〜Ｓ１０とし、複数の操作端末器ＣのそれぞれのＩＤＮｏをＣ１〜Ｃ５とし、さらに、各操作端末器Ｃの各フェーダ操作部ＦのＩＤＮｏをＦ１〜Ｆ８として、それぞれＩＤＮｏを割り付けたとする。なお、ここで、照明負荷Ｓ９、Ｓ１０については、個別に設けた図示しないスイッチで制御するものとする。
【００４１】
すると、図６に示すように、各フェーダ操作部（フェーダと略記）Ｎｏと各照明負荷Nｏとの対応関係を示す一括パッチ情報は、“Ｆ１→Ｓ１”、“Ｆ２→Ｓ２”、“Ｆ３→Ｓ３”…“Ｆ８→Ｓ８”といったものとなり、このような一括パッチ情報がＲＡＭ１１の一括モード領域２０に格納されている。
【００４２】
一方、ＲＡＭ１１の分割モード領域３０の記憶エリアには、所定の分割モードに対応した、複数の照明負荷Ｓ１〜Ｓ１０のそれぞれと複数の操作端末器Ｃ１〜Ｃ５の各フェーダ操作部Ｆ１〜Ｆ８との対応関係を示すパッチ情報（分割パッチ情報ともいう）が記憶されている。
【００４３】
本実施の形態の調光制御装置２において、ＲＡＭ１１は、複数の照明負荷Ｓ１〜Ｓ１０を分割して調光を行う場合、すなわち、実行する分割モードに対応するために、分割モード領域３０における分割パッチ情報の書き換えが可能である。勿論、一括モード領域２０における一括バッチ情報の書き換えも可能である。
【００４４】
このような分割モードを実行する場合に必要な分割パッチ情報の書き換え処理手順、及び書き換え処理内容について図４〜図１１を用いて説明する。
【００４５】
本実施の形態の調光制御装置２は、分割モードを実行する場合の準備処理として、予めＲＡＭ１１の分割モード領域３０内に記憶された分割パッチ情報を、所望する形態の分割モードに基づく分割パッチ情報に書き換える書き換え処理を行う。
【００４６】
図１１に、このような本実施の形態の調光制御装置の分割モード設定時に伴う処理手順のフローチャートを示す。
【００４７】
作業者は、予め、外部装置としてのＰＣ１３内に、所望する複数の照明負荷Ｓ１〜Ｓ１０の分割形態に応じた分割パッチ情報を格納しておく。そして、作業者は、ステップＳ１の処理で、ＰＣ１３を、接続ケーブル等を用いて調光制御装置２の接続部２ｂに接続する。
【００４８】
そして、作業者によるＰＣ１３側の操作により、所望する分割モードに基づく分割パッチ情報が、接続部２ｂを介してＩ／Ｆ９に出力される。出力された分割パッチ情報は、Ｉ／Ｆ９を介して、バス５に出力される（ステップＳ２）。
【００４９】
その後、作業者によるＰＣ１３側の操作により、調光制御装置２内のＣＰＵ１２が制御されて、バス５に出力された分割パッチ情報がＲＡＭ１１の分割モード領域３０の記憶エリアに書き込まれ、既に記憶されている分割パッチ情報に上書きするなどして供給された分割パッチ情報が書き換えられる（ステップＳ３）。  
なお、本実施の形態では、ＲＡＭ１１の分割パッチ情報の書き換えは、外部装置としてのＰＣ１３側から行ったが、これに限定されることはなく、例えば、調光制御装置２のバス５に接続された操作パネル１３を用いて行ってもよい。  
このようにして、ＲＡＭ１１の分割パッチ情報の書き換え処理を完了する。
【００５０】
次に、上記の如く書き換えられる分割パッチ情報としては、少なくとも２つのタイプの分割モードに対応したものがある。  
これら少なくとも２つの分割モードにおける照明負荷Ｓ、操作端末器Ｃ等の構成、及び分割パッチ情報の内容について、図４及び図５、図７〜１０を用いて説明する。
【００５１】
まず、１つ目のタイプの分割モードについて説明する。図４（ａ）は、図１の複数の照明負荷を部屋毎に分割した場合の構成を示す構成図で、図４（ｂ）は操作端末器の構成示す構成図である。
【００５２】
図４（ａ）に示す分割モードにおける照明システム１は、屋内施設３を、例えば、移動可能な４つのパーティション部材３Ａ〜３Ｄにより分割して５つの部屋Ｒ１〜Ｒ５を形成するとともに、これら５つの部屋Ｒ１〜Ｒ５に、それぞれ対応する２つの照明負荷を配置して構成される。また、これら５つの部屋Ｒ１〜Ｒ５には、２つの照明負荷にそれぞれ対応する操作端末器Ｃ１〜Ｃ５の複数のフェーダ操作部Ｆ１〜Ｆ８（図４（ｂ）参照）が配置される。
【００５３】
このようなタイプの分割モード、すなわち部屋分割モード、において、ＲＡＭ１１の分割パッチ情報を書き換えるのに必要な情報は、複数の部屋Ｒ１〜Ｒ５と、これら複数の部屋Ｒ１〜Ｒ５のそれぞれに対応する２つの照明負荷Ｓ（Ｓ１〜Ｓ１０の内２つ）と、照明負荷Ｓのそれぞれと複数のフェーダ操作部Ｆ１〜Ｆ８のそれぞれとの対応関係を示す情報である。
【００５４】
このようなタイプの分割モードを実行するために、ＰＣ１３より書き換えるための分割パッチ情報の一例を、図７及び図８に示す。
【００５５】
図７は、図４（ａ）の照明システムにおいて、書き換えるのに必要な、部屋Ｎｏと照明負荷Ｎｏと操作端末器Ｎｏとの対応関係のパッチ情報の構成を示す図であり、図８は、図４の照明システムにおいて、書き換えるのに必要な、フェーダＮｏと照明負荷Ｎｏと操作端末器Ｎｏとの対応関係のパッチ情報の構成を示す図である。
【００５６】
図４（ａ）に示す照明システム１において、複数の照明負荷Ｓ１〜Ｓ１０、複数の操作端末器Ｃ１〜Ｃ５、及び複数のフェーダ操作部Ｆ１〜Ｆ８の他に、複数の部屋ＲのそれぞれのＩＤＮｏをＲ１〜Ｒ５として、それぞれＩＤＮｏを割り付けたとする。
【００５７】
すると、図７に示すように、各部屋ＲＮｏと各照明負荷Nｏと操作端末器Ｎｏとの対応関係を示す分割パッチ情報は、“Ｒ１→Ｓ１、Ｓ２→Ｃ１”、“Ｒ２→Ｓ３、Ｓ４→Ｃ２”、“Ｒ３→Ｓ５、Ｓ６→Ｃ３”…“Ｒ５→Ｓ９、Ｓ１０→Ｃ５”といったものとなり、このような分割パッチ情報が上記の如くＲＡＭ１１の分割モード領域３０に書き換えられる。
【００５８】
さらに、図８に示すように、フェーダＮｏと各照明負荷Nｏと操作端末器Ｎｏとの対応関係を示す分割パッチ情報は、“Ｆ１→Ｓ１→Ｃ１”、“Ｆ２→Ｓ２→Ｃ１”、“Ｆ１→Ｓ３→Ｃ２”、“Ｆ２→Ｓ４→Ｃ２”、“Ｆ１→Ｓ５→Ｃ３” “Ｆ２→Ｓ６→Ｃ３”、“Ｆ１→Ｓ７→Ｃ４”、“Ｆ２→Ｓ８→Ｃ４”、“Ｆ１→Ｓ９→Ｃ５”、“Ｆ２→Ｓ１０→Ｃ５”といったものとなり、このような分割パッチ情報が上記の如くＲＡＭ１１の分割モード領域３０に書き換えられる。
【００５９】
次に、もう１つのタイプの分割モードについて説明する。図５（ａ）は、図４（ａ）の複数の部屋を、パーティション部材を用いて分割した場合の構成を示す構成図であり、図５（ｂ）は操作端末器の構成示す構成図である。
【００６０】
図５（ａ）に示す分割モードにおける照明システム１は、図４（ａ）に示す複数の部屋Ｒ１〜Ｒ５を、例えば、移動可能な２つのパーティション部材３Ａ、３Ｂにより分割して３つのパーティション部屋Ｐ１〜Ｐ３を形成する。この場合、パーティション部屋Ｐ１には、部屋Ｒ１、Ｒ２に対応する照明負荷Ｓ１〜Ｓ４、２つの操作端末器Ｃ１，Ｃ２が配置される。また、パーティション部屋Ｐ２には、部屋Ｒ３に対応する照明負荷Ｓ５、Ｓ６、１つの操作端末器Ｃ３が配置され、パーティション部屋Ｐ３には、部屋Ｒ４、Ｒ５に対応する照明負荷Ｓ７〜Ｓ１０、２つの操作端末器Ｃ４、Ｃ５が配置される。
【００６１】
このようなタイプの分割モード、すなわちパーティション部屋分割モード、では、ＲＡＭ１１の分割パッチ情報を書き換えるのに必要な情報において、複数の部屋Ｒ１〜Ｒ５の情報は、分割した複数のパーティション部屋Ｐ１〜Ｐ３を示す情報である。
【００６２】
このようなタイプの分割モードを実行するために、ＰＣ１３より書き換えるための分割パッチ情報の一例を、図９及び図１０に示す。
【００６３】
図９は、図４（ａ）の照明システムにおいて、書き換えるのに必要な、フェーダＮｏと照明負荷Ｎｏと操作端末器Ｎｏとの対応関係のパッチ情報の構成を示す図であり、図１０は、図５の照明システムにおいて、書き換えるのに必要な、パーティションＮｏと部屋Ｎｏと照明負荷Ｎｏと操作端末器Ｎｏとの対応関係のパッチ情報の構成を示す図である。
【００６４】
図５に示す照明システム１において、複数の照明負荷Ｓ１〜Ｓ１０、複数の操作端末器Ｃ１〜Ｃ５、複数のフェーダ操作部Ｆ１〜Ｆ８及び複数の部屋Ｒ１〜Ｒ５の他に、パーティション部屋ＰのそれぞれのＩＤＮｏをＰ１〜Ｒ３として、それぞれＩＤＮｏを割り付けたとする。
【００６５】
すると、図９に示すように、フェーダＮｏと各照明負荷Nｏと操作端末器Ｎｏとの対応関係を示す分割パッチ情報は、“Ｆ１→Ｓ１→Ｃ１、Ｃ２”、“Ｆ２→Ｓ２→Ｃ１、Ｃ２”、“Ｆ３→Ｓ３→Ｃ１、Ｃ２”、“Ｆ４→Ｓ４→Ｃ１、Ｃ２”、“Ｆ１→Ｓ５→Ｃ３” “Ｆ２→Ｓ６→Ｃ３”、“Ｆ１→Ｓ７→Ｃ４、Ｃ５”、“Ｆ２→Ｓ８→Ｃ４、Ｃ５”、“Ｆ３→Ｓ９→Ｃ４、Ｃ５”、“Ｆ４→Ｓ１０→Ｃ４、Ｃ５”といったものとなり、このような分割パッチ情報が上記の如くＲＡＭ１１の分割モード領域３０に書き換えられる。
【００６６】
さらに、図１０に示すように、パーティションＮｏと部屋Ｎｏと照明負荷Ｎｏと操作端末器Ｎｏとの対応関係のパッチ情報は、“Ｐ１→Ｒ１、Ｒ２→Ｓ１〜Ｓ４→Ｃ１、Ｃ２”、“Ｐ２→Ｒ３→Ｓ５、Ｓ６→Ｃ３”、“Ｐ３→Ｒ４、Ｒ５→Ｓ７〜Ｓ１０→Ｃ４、Ｃ５”、といったものとなり、このような分割パッチ情報が上記の如くＲＡＭ１１の分割モード領域３０に書き換えられる。
【００６７】
なお、本実施の形態においては、図４（ａ）及び図５（ａ）に示すようなタイプの異なる２つの分割モードの構成について説明したが、勿論これに限定されるものではなく、適宜所望する分割形態に応じて変更可能であり、また、変更された分割形態に応じて分割パッチ情報も変更される。
【００６８】
次に、本実施の形態の調光制御装置のＣＰＵ１２の制御例について図１２用いて説明する。  
なお、予め作業者によって図７〜図１０に示す分割パッチ情報がＲＡＭ１１に書き換えられているものとして説明する。図１２は、本実施の形態の調光制御装置のＣＰＵにおける制御内容の一例を示すフローチャートである。
【００６９】
いま、本実施の形態の照明システム１の電源を投入したとする。すると、調光制御装置２のＣＰＵ１２は、ＲＯＭ１０から、図１２に示すプログラムを読み出して実行する。  
ＣＰＵ１２は、ステップＳ１０の判断処理により、切替スイッチ２ａによる操作の有無を判断し、操作があった場合には処理をステップＳ１１に移行し、操作が無かった場合には操作があるまで判断処理を行う。
【００７０】
ステップＳ１１の判断処理では、ＣＰＵ１２は、切替スイッチ２ａによる操作が一括モードであるか否かを判断する。この場合、ＣＰＵ１２は、一括モードであると判断した場合には処理をステップＳ１２に移行し、一括モードではないと判断、すなわち、分割モードであると判断した場合には、処理をステップＳ１３に移行する。
【００７１】
一括モードであると判断した場合、ＣＰＵ１２は、ステップＳ１２の判断処理で、任意の操作端末器Ｃの任意のフェーダ操作部Ｆの操作の有無を判断し、操作があった場合には処理をステップＳ１６に移行し、操作が無かった場合には処理をステップＳ１１に戻す。
【００７２】
その後、ＣＰＵ１２は、ステップＳ１６の処理により、予め設定されているＲＡＭ１１の一括モード領域２０に格納されているパッチ情報（例えば、図６参照）に基づいて、操作された任意のフェーダ操作部Ｆに対応する照明負荷Ｓを判別し、この判別した照明負荷Ｓに対して予め設定された調光量などの制御情報を取得して、処理をステップＳ１９に進む。ステップS19では、・・・。
【００７３】
一方、前記ステップＳ１１の判断処理で分割モードが指示された場合、ＣＰＵ１２は、ステップＳ１３の判断処理で、その指示された分割モードが、部屋分割であるか否かを判断する。
【００７４】
この場合、ＣＰＵ１２は、部屋分割である分割モードであると判断した場合、ステップＳ１４の判断処理に進み、部屋分割ではない分割モード、すなわち、パーティション部屋分割の分割モードであると判断して処理をステップＳ１５に移行する。
【００７５】
部屋分割である分割モードあると判断した場合、ＣＰＵ１２は、ステップＳ１４の判断処理で、任意の操作端末器Ｃの任意のフェーダ操作部Ｆの操作の有無を判断し、操作があった場合には処理をステップＳ１７に移行し、操作が無かった場合には処理をステップＳ１３に戻す。
【００７６】
その後、ＣＰＵ１２は、ステップＳ１７の処理により、予め設定されているＲＡＭ１１の分割モード領域３０に格納されている分割パッチ情報（例えば、図７及び図８参照）に基づいて、部屋Ｒとフェーダ操作部Ｆと照明負荷Ｓとを対応付けすると同時に、部屋Ｒと操作された任意のフェーダ操作部Ｆとこのフェーダ操作部Ｆに対応する照明負荷Ｓとを判別し、この判別した照明負荷Ｓに対して予め設定された調光量などの制御情報を取得して、処理をステップＳ１９に進む。
【００７７】
前記ステップＳ１３の判断処理にてパーティション部屋分割の分割モードであると判断した場合、ＣＰＵ１２は、ステップＳ１５の判断処理で、任意の操作端末器Ｃの任意のフェーダ操作部Ｆの操作の有無を判断し、操作があった場合には処理をステップＳ１８に移行し、操作が無かった場合には処理をステップＳ１３に戻す。
【００７８】
その後、ＣＰＵ１２は、ステップＳ１８の処理により、予め設定されているＲＡＭ１１の分割モード領域３０に格納されている分割パッチ情報（例えば、図９及び図１０参照）に基づいて、パーティション部屋Ｐとフェーダ操作部Ｆと照明負荷Ｓとを対応付けすると同時に、パーティション部屋Ｐと操作された任意のフェーダ操作部Ｆとこのフェーダ操作部Ｆに対応する照明負荷Ｓとを判別し、この判別した照明負荷Ｓに対して予め設定された調光量などの制御情報を取得して、処理をステップＳ１９に進む。
【００７９】
なお、前記ステップＳ１６〜ステップＳ１８において、予め設定された各照明負荷Ｓの調光量などの制御情報は、ＲＯＭ１０又はＲＡＭ１１内のその他の記憶領域に記憶されており、あるいは一括パッチ情報及び分割パッチ情報と関連づけて記憶されている。
【００８０】
その後、ＣＰＵ１２は、ステップＳ１９の処理において、取得した制御情報に基づく調光量で該当する照明負荷Ｓを点灯させるように調光制御する。
【００８１】
このように、調光制御装置２は、ＣＰＵ１２による制御処理によって一括モード又は分割モードが判別され、判別された一括モード又は分割モードに基づく照明負荷Ｓの調光制御が可能である。
【００８２】
したがって、本実施の形態によれば、調光制御装置２のＲＡＭ１１は、照明負荷を分割して調光制御する場合、すなわち、実行する分割モードに対応するために、予めＲＡＭ１１の分割モード領域３０内に記憶された分割パッチ情報を、所望する形態の分割モードに基づく分割パッチ情報に書き換えることができるので、パッチ情報を増やすことなく、パッチ情報の変更作業を簡単に行うことができる。
【００８３】
このため、照明負荷を一括で調光制御する一括モードを実行することは勿論、使用目的に応じた形態の分割モードを迅速に設定でき、かつ実行することができるので、屋内施設の有効活用の拡大に寄与できる照明システム及びこれに用いる調光制御装置の実現が可能となる。
【００８４】
なお、本実施の形態において、分割モードにおける照明負荷の分割形態は、会議室やホール等の屋内施設３をパーティション部材３Ａ〜３Ｄで仕切られた複数の部屋Ｒ１〜Ｒ５、あるいは任意の部屋数Ｒ毎にパーティション部材３Ａ、３Ｂで仕切られたパーティション部屋Ｐ１〜Ｐ３に応じて配置されたものであるが、これに限定されるものではない。例えば、あたかも仮想のパーティション部材で仕切られた仮想空間の部屋Ｒ、あるいはパーティション部屋として構成してもよい。
【００８５】
また、本実施の形態において、より演出効果を高めるために、例えば、複数の操作端末器Ｃ１〜Ｃ５にシーン再生スイッチをそれぞれ設け、このシーン再生スイッチを押下することにより、各フェーダ操作部Ｆ１〜Ｆ８に対応する照明負荷Ｓ１〜Ｓ１０による調光量が、予めシーン毎に設定された調光量となるように調光制御するシーン再生モードを設けて構成してもよい。
【００８６】
本発明は、上述した実施の形態及び変形例に限定されるものではなく、本発明の要旨を変えない範囲において、種々の変更、改変等が可能である。
【符号の説明】
【００８７】
１…照明システム、
２…調光制御装置、
２ａ…切替スイッチ、
２ｂ…接続部、
３…屋内施設、
３Ａ〜３Ｄ…パーティション部材、
４ａ、４ｂ…制御信号線
５…バス、
６〜９…Ｉ／Ｆ、
１０…ＲＯＭ、
１１…ＲＡＭ、
１２…ＣＰＵ、
２０…一括モード領域、
３０…分割モード領域、
Ｃ１〜Ｃ５…操作端末器、
Ｆ１〜Ｆ８…フェーダ操作部、
Ｒ１〜Ｒ５…部屋、
Ｐ１〜Ｐ３…パーティション部屋、
Ｓ１〜Ｓ１０…照明負荷。
【図１】
2011233481.tif 000003
【図２】
2011233481.tif 000004
【図３】
2011233481.tif 000005
【図４】
2011233481.tif 000006
【図５】
2011233481.tif 000007
【図６】
2011233481.tif 000008
【図７】
2011233481.tif 000009
【図８】
2011233481.tif 000010
【図９】
2011233481.tif 000011
【図１０】
2011233481.tif 000012
【図１１】
2011233481.tif 000013
【図１２】
2011233481.tif 000014